【事件の表示】
　特許第２９５５８１３号「オイルダンパを用いた鍵盤蓋開閉装置」の特許に対する特許異議の申立てについて、次のとおり決定する。
【結　論】
　訂正を認める。
　特許第２９５５８１３号の特許を取り消す。
【理　由】
　１．手続の経緯
　　特許第２９５５８１３号の請求項１に係る発明についての出願は、平成６年１月２１日に特許出願され、平成１１年７月２３日にその発明について特許の設定がされ、その後、その特許について、異議申立人　足立泰守　により特許異議の申立がされ、取り消し理由が通知され、その指定期間内である平成１２年８月２２日に訂正請求がされたものである。
　　
　　
　　　
　２．.訂正の適否についての判断
　（１）訂正の内容　
　　ア．訂正事項ａ
　　請求項１に係る発明において「軸方向の一端部で閉じ、他端部で開いた中空な円筒形の室を有し、内部に粘性流体の充填が可能なケーシング」を「軸方向の一端部で閉じ、他端部で開いた中空な円筒形の室
とその開口端に角形のフランジ部と
また、「ケーシングを鍵盤に固着」を「
ケーシングの角型のフランジ部を鍵盤蓋の凹部に隙間無く嵌合するようにして
　
　　イ．訂正事項ｂ
　　発明の詳細な説明の記載において、段落番号“【０００５】”の内容を、上記ａの訂正内容と整合すべく訂正する。　
　
　
　（２）訂正の目的の適否、新規事項の有無及び拡張・変更の存否
　　上記、訂正事項ａは、発明を特定する事項であるケーシング開口端形状をこれに含まれる「
開口端に角形のフランジ部
ケーシングの角型のフランジ部を鍵盤蓋の凹部に隙間無く嵌合するようにして
　　また、上記訂正事項ｂに関して、請求項１に係る発明の訂正に伴う整合をとる訂正であるから、訂正内容は明瞭でない記載の釈明を目的とする訂正であって、新規事項の追加に該当するものでなく、実質上特許請求の範囲を拡張し又は変更するものでもない。
　
　　
　（３）むすび
　　以上のとおりであるから、上記訂正は特許法第１２０条の４第２項及び同条第３項において準用する第１２６条第２項及び第３項の規定に適合するので、当該訂正を認める。
　
　
　
　３．特許異議の申立についての判断
　（１）本件の請求項１に係る発明
　　上記２．で判断したように上記訂正が認められるから、本件の請求項１に係る発明（以下、「本件発明」という。）は、上記訂正に係る訂正明細書の特許請求の範囲の請求項１に記載された事項により特定される次のとおりのものである。
　「【請求項１】
　鍵盤蓋にオイルダンパを取り付け、該鍵盤蓋を該オイルダンパにより楽器本体に回動自在に支承して成り、該オイルダンパは鍵盤蓋が閉じる方向に回動したときダンパ作用を生ずるものにおいて、前記オイルダンパは、軸方向の一端部で閉じ、他端部で開いた中空な円筒形の室
とその開口端に角型のフランジ部と
ケーシングの角型のフランジ部を鍵盤蓋の凹部に隙間無く嵌合するようにして
　　　
　　　
　（２）引用刊行物に記載された発明
　　当審が通知した取り消し理由で引用した刊行物２（特開平１−２７７２９２号公報、以下「引用例２」という。）には、以下のような事項が記載されている。
　　ア．「第３図は本発明の一実施例の分解斜視図であり、１１は鍵盤を、１２は鍵盤の両側に設けられた腕木の一方を、１３は鍵盤蓋を夫々示している。鍵盤蓋１３には後に詳述するロータリダンパ１４、１５が埋設されており、ロータリダンパ１４（１５）は腕木１２に固定されたピボット板１６に挿入されて回動を規制されている。」（第２頁右下欄第１０〜１６行目、第３図）
　　
　　イ．「図において、２１は半円板状のフランジ２２を有する円筒状のフランジ部２２を有する円筒状のケースであり、このケース２１の反フランジ側は蓋体２３で閉止されている・・・・・大径部２６とケース２１との間には粘性体としてのグリース２９が塗布されている・・・・・グリース２９は大径部２６とケースとの間に滞留して後述するように粘性抵抗による制動力を発生させる。」（第３頁左上欄第１３〜１９行目）
　　
　　ウ．「係合部２８は第５図に詳示されるように面取りされており、この面取りされた契合部２８が上述のピポット板１６に狭持される。また、フランジ部２２には取付用孔３４が穿設されており、この取付孔３４に差し込まれた木ネジ等（図示せず）でロータリダンパ１５（１４）を鍵盤蓋１３に固定している。」（第３頁右上欄第７〜１３行目、第３，５図）
　　
　　エ．「鍵盤蓋１３は粘性抵抗に起因する制動力で減速し、楽器本体を構成する口棒に穏やかに当接する。」（第３頁左下欄第４〜１４行目）
　
　　上記ア〜エの記載によれば、「引用例２」には、以下のような記載がされていると認められる。
　　「鍵盤蓋にオイルの粘性抵抗も利用したダンパを取り付け、該鍵盤蓋を該ダンパにより楽器本体に回動自在に支承して成り、該ダンパは鍵盤蓋が閉じる方向に回動したときダンパ作用を生ずるものにおいて、前記ダンパは、軸方向の一端部で閉じ、他端部で開いた中空な円筒形の室とその開口端にフランジ部とを有し、内部に粘性流体を有するケーシングと、該ケーシングを鍵盤蓋に固着し、ケーシングから突出した軸支部材を楽器本体に設けた軸支部材に係止したことを特徴とする鍵盤蓋開閉装置。」（以下、「引用発明２」という。）
　
　
　　同じく刊行物１（特開平４−２８２０３９号公報、以下「引用例１」という。）には以下のことが記載されている。
　　オ．「軸方向の一端部で閉じ、他端部で開いた中空な円筒型の室１を有し、内部に粘性流体２の充填が可能なケーシング３と、ケーシング３に対して相対的に回転可能に組合わされ、軸周りに回転可能に前記室内に配置される軸部４を中心に備えた回転部材５と、前記軸部４又は室１に設けられた軸方向の突部６への回転方向の遊びをもって係止可能であり、かつ軸部４の周囲又は室１の壁面に摺接して回転部材５又はケーシング３と共に回転可能に設けられた可動弁７と、ケーシング３と回転部材５の相対回転の方向に応じて可動弁７の一側から他側へ粘性流体２を異なる抵抗で通過させるため、前記可動弁７と、ケーシング３と突部６に夫々形成された複数の流体通路８、９、１０と、粘性流体２を封じるためにケーシング３と回転部材５との間に設けられたシール手段１１とからなることを特徴とする高トルク用ダンパ。」（第２頁第１欄第２〜１６行目）
　
　　カ．「本発明は前記の点に鑑みてなされたもので、その課題は軸回りの回転力を緩和させるダンパについて、狭い部位にも取付けられる、コンパクト化の可能な形状と簡潔な構造を実現し、高い減衰トルクが容易に出せるようにすることにある。」　
　
　　キ．「前記ケーシング３と回転部材５とは、相対的に回転し、それにより可動弁７も突部６に、回転方向の遊びをもって係止可能であり、突部６と可動弁７には夫々段面積の異なる流体通路８、９、１０が形成され、回転方向に応じて抵抗を変えるようになっている。このため一方向の回転に対しては殆ど抵抗がなく、逆方向の回転時にのみ大きな抵抗が生じるように作用する。後者の場合の抵抗は、可動弁７と突部６が接触し隙間がないため、流体通路の大きさにより変化する。故に流体通路の大きさを小さくするだけで非常に高いトルクを発生することとなる。」（段落番号【０００５】、【０００６】）
　
　　ク．「本発明は以上の如く構成され、かつ作用するものであるから、開閉機構などの回転部分に直接取り付けることが可能であり、非常にコンパクトに形成できるので、取付場所の制限も少なく、しかも高いトルクでの減衰力が得やすいという顕著な効果を奏する。また、在来の高トルク型のものと異なり、中トルク、低トルクの達成も容易であり、非常に融通性が高い。このため例えば、便座カバーの軸　部のように狭く、小型であることが要求される部位にも適し、蓋や扉或いは重量物のアーム型クッション等も広く適用することができる。」（段落番号【００１７】）
　　
　　ケ．「・・・・・・。また、
突部６と可動弁７は第１、第２実施例と同様にして、ケーシング３の方を回転側とし、回転部材５の方は固定側とすることも勿論可能である。
　　
　　上記オ〜ケ記載によれば、「引用例１」には、以下のような記載がされていると認められる。
　　「オイルダンパは、軸方向の一端部で閉じ、他端部で開いた中空な円筒形の室とその端部にフランジ部とを有し、内部に粘性流体の充填が可能なケーシングと、該ケーシングに対して相対的に回転可能に組合わされ、軸周りに回転可能に前記室内に配置される軸部を中心に備えた軸支部材と、前記軸部に設けられた軸直角方向の突部に回転方向への遊びをもって係止され、かつ突部とケーシングとにより挟まれた状態で前記軸支部材とともに回転可能に設けられた可動弁と、ケーシングと前記軸支部材の相対回転の方向に応じて可動弁の一側から他側へ粘性流体を異なる抵抗で通過させるために前記可動弁と突部の接触部分に夫々形成された複数の流体通路と、粘性流体を封じるためにケーシングと前記軸支部材との間に設けられたシール手段とから成り、前記流体通路は、右（若しくは左）方向に回動するとき、高トルクを生じ、左（若しくは右）方向に回動するとき低トルクを生じるように、
ケーシングのフランジ部を回動側に固着し、前記軸支部材を固定側に固定
　
　
　　（３）対比及び判断　
　　「本件発明」と「引用例２」とを対比すると、
両者は、上記「引用発明２」に記載の鍵盤蓋開閉装置（上記３．（２）参照）の点で一致するものの、
　
以下の点で相違する。
　　ア．「本件発明」はオイルダンパであるのに対し、「引用例１」はオイルを使用するもののロータリダンパであって種類が相違する点。
　
　　イ．「本願発明」はオイルダンパの内部構成及び取付構成を以下のように具体的であるのに対し「引用例２」にはそのような開示、若しくは明確な記載がない点。
　　（ａ）内部構成は、「軸方向の一端部で閉じ、他端部で開いた中空な円筒形の室と、内部に粘性流体の充填が可能なケーシングと、該ケーシングに対して相対的に回転可能に組合わされ、軸周りに回転可能に前記室内に配置される軸部を中心に備えた軸支部材と、前記軸部に設けられた軸直角方向の突部に回転方向への遊びをもって係止され、かつ突部とケーシングとにより挟まれた状態で前記軸支部材とともに回転可能に設けられた可動弁と、ケーシングと前記軸支部材の相対回転の方向に応じて可動弁の一側から他側へ粘性流体を異なる抵抗で通過させるために前記可動弁と突部の接触部分に夫々形成された複数の流体通路と、粘性流体を封じるためにケーシングと前記軸支部材との間に設けられたシール手段とから成り、前記流体通路は、回動方向により、高トルク、低トルクを生じる構造」である
　　（ｂ）取付構成は、鍵盤蓋が閉じる方向に回動するときに高トルクを生じ、開く方向の際に低トルクを生じるように鍵盤蓋と楽器本体に固着する
　　（ｃ）取付構成は、前記ケーシングを角型のフランジ形状とし、鍵盤蓋の凹部に隙間無く嵌合するように固着する
　　（ｄ）取付構成は、軸支持部を楽器本体の軸受け部に対してその突部が上方に突出する位相で係止する
　
　　そこで検討するに、
　　上記相違点ア．　に関して、オイルダンパを鍵盤蓋の開閉装置として用いることは本件特許出願前に周知慣用技術である（一例として実公平０５−０４８２３８号公報参照）。そして、「引用例２」はロータリダンパを用いた鍵盤蓋開閉装置であってオイルダンパでないが、前記ロータリダンパは内部にはオイルを含み、そのオイルの粘性抵抗をもって制動力を発生するもので、ダンパ要素としてオイルを用いる技術的思想がある（上記３．（２）イ．エ．参照）。
また、「引用例１」はオイルダンパの一つの構成であるが、このものは“
ケーシングの方を回転側とし、回転部材の方を固定側とすることも可能である
　　そして、該オイルダンパの構成は、上記「引用発明１」に記載したとおりのものであって、上記相違点イ．（ａ）　の構成を有するものとなる。
　
　　上記相違点イ．（ｂ）　に関して、３．（２）エ．等に記載されているように、鍵盤楽器の鍵盤蓋に用いることから閉じる方向に回動する時に高トルク、開く方向に回動する時に低トルクとなる取付構成とすることは当然の構成である。
　
　　上記相違点イ．（ｃ）　に関して、「引用例２」のダンパは、ケーシング全体を鍵盤蓋に埋設固着され、その係合部（２８）をピポット板（本件発明の「軸受け部材」に相当）に狭持して鍵盤蓋が楽器本体にスムーズに回動できるよう取付けてある。
そして、前記ケーシングは、フランジ部に設けた取付用孔に木ねじ等を差し込む事で鍵盤蓋に固定しているが（上記３．（２）ア．ウ．及び第３、４図参照）、前記木ねじのゆるみが生じても回動防止をするため、及び突出部をできるだけなくし表面フラット仕上として鍵盤楽器特有の美的感覚を確保する観点から、前記ケーシングのフランジ部は鍵盤蓋に凹部を設け隙間無く嵌合固定されているものと解される。また、この際、前記フランジ部を角形状とすることは設計上適宜成しえるし得るもので、このことで特段の工夫を講じる必要のものでも顕著な効果を奏するようになるものでもない。
　　なお、上記相違点ア　で判断したように「引用例１」に記載されたダンパの「引用例２」への使用は、オイルダンパ構成の機能に関する置換で、鍵盤蓋への取付構成からフランジ部のケーシング位置は引用例２に記載の形で残る事は当然である。また、ケーシングのフランジ部の形状を角形とし、鍵盤蓋の凹部に隙間無く嵌合する構成は当初明細書中に記載があるものでなく、図面にその旨の僅かに記載があるものであって、係る構成に伴う顕著な効果の把握ができるものでない。
　
　　上記相違点イ．（ｄ）　の事項は、「引用例１」に記載のダンパも図３〜図４図に展開しているように、該実施例はケーシングが固定側であるが“ケーシングのストッパ１２（本件発明の“突部”に相当する）を回転軸４に対して垂直方向に配置して支持する”技術の記載がある。これは回転部材に重量物を取り付けた際に、その加重をできるだけ分散支持を考慮しての配置と解され、このことから、上記相違点ア．　またはイ．（ｃ）　で触れたように、「引用例１」のダンパ構造のものを軸部を固定側として「引用例２」に適用する際においても、前記配置事項を勘案して、上記相違点イ．（ｄ）のようにすることは当業者の技術常識である。
　
　　したがって、上記「引用例２」のダンパを用いた鍵盤蓋開閉装置に代替えして上記「引用例１」に記載のオイルダンパを適用し、前記技術常識等を参酌し「本件発明」のようにすることは当業者が容易に想到できるものである。
　
　
　　（４）むすび
　　以上のとおりであるから、本件発明は、上記引用発明１、２に基づいて当業者が容易に発明をすることができたものであるから、本件発明についての特許は特許法２９条第２項の規定に違反してされたものである。
従って、本件発明についての特許は、特許法第１１３条号第２号に該当し、取り消されるべきものである。
　
　　よって結論のとおり決定する。
【異議決定日】
平成１２年９月２２日（２０００．９．２２）
【訂正の要旨】
訂正の要旨
　審決（決定）の【理由】欄参照。
（５４）【発明の名称】
オイルダンパを用いた鍵盤蓋開閉装置
（５７）【特許請求の範囲】
　【請求項１】
　鍵盤蓋にオイルダンパを取り付け、該鍵盤蓋を該オイルダンパにより楽器本体に回動自在に支承して成り、該オイルダンパは鍵盤蓋が閉じる方向に回動したときダンパ作用を生ずるものにおいて、前記オイルダンパは、軸方向の一端部で閉じ、他端部で開いた中空な円筒形の室
とその開口端に角形のフランジと
ケーシングの角型のフランジを鍵盤蓋の凹部に隙間無く嵌合するようにして
【発明の詳細な説明】
　【０００１】
　【産業上の利用分野】
　本発明は、オイルダンパを用いた鍵盤楽器の鍵盤蓋開閉装置に関する。
　【０００２】
　【従来の技術】
　従来の鍵盤楽器の鍵盤蓋開閉装置として、誤って閉じられた鍵盤蓋によって指がはさまれて怪我をしないようにするために、鍵盤蓋が閉じられる方向に回動したとき、ダンパ作用が生じ、緩やかに回動するようにしたものが知られている。その１つは、回動軸にコイルばねを巻きつけたばね式ダンパを用いたものであり、他の一つは、オイルダンパを用いたものである。
　【０００３】
　【発明が解決しようとする課題】
　前記ばね式ダンパを用いたものは、鍵盤蓋を閉じた状態でも、ばねの弾性力により鍵盤蓋が浮きぎみになってぴったりしまらず、またばねの定数をコントロールして品質を安定させることが困難であるという不具合があり、前記オイルダンパを用いたものは、ダンパが大型であるので、楽器本体に埋め込んでおり、そのため、楽器本体を、ダンパのない鍵盤蓋を用いた楽器本体と共用できず、コストが低廉にならないという不具合を有する。
　【０００４】
　本発明は、従来のこのような不具合を解決することをその目的とするものである。
　【０００５】
　【課題を解決するための手段】
　上記の目的を達成するために、本発明は、鍵盤蓋にオイルダンパを取り付け、該鍵盤蓋を該オイルダンパにより楽器本体に回動自在に支承して成り、該オイルダンパは鍵盤蓋が閉じる方向に回動したときダンパ作用を生ずるものにおいて、前記オイルダンパは、軸方向の一端部で閉じ、他端部で開いた中空な円筒形の室
とその開口端に角形のフランジと
ケーシングの角型のフランジを鍵盤蓋の凹部に隙間無く嵌合するようにして
　【０００６】
　【作用】
　前記オイルダンパは、鍵盤蓋を開くときは、ダンパとして作用せず、閉じるときはダンパ作用が生ずるため、鍵盤蓋は、開くとき、抵抗なく開けられ、閉じるときはゆっくりと閉じられる。
　【０００７】
　【実施例】
　以下に本発明の実施例を図面を参照して説明する。
　【０００８】
　図１において、１は楽器本体の腕木、２は鍵盤蓋である。
　【０００９】
　鍵盤蓋２の両側部には、オイルダンパ３が埋設され両側の腕木１の内壁面には、Ｕ字形の軸受け部材４が取り付けられ、オイルダンパ３の軸支部材５を軸受け部材４の溝に係合することにより鍵盤蓋２は腕木１に回動自在に取付けられる。オイルダンパ３は、図２に示すように、軸方向の一端部で閉じられ、他端部で開かれた中空な円筒形の室６を有し、内部に粘性流体７の充填可能なケーシング８と、ケーシング８に対して相対的に回転可能に組合わされ、軸周りに回転可能に前記室６内に配置される軸部９を中心に備えた軸支部材５と、前記軸部９に設けられた軸方向の突部１０に回転方向の遊びをもって係止され、かつ軸支部材５と共に回転可能に設けられた可動弁１１と、ケーシング８と軸支部材５の相対回転方向に応じて可動弁１１の一側から他側へ粘性流体７を異なる抵抗で通過させるために前記可動弁１１と突部１０の接触部分に夫々形成された複数の流体通路１２、１３、１４と、粘性流体７を封じるためにケーシング８と軸支部材５との間に設けられた例えばＯリングから成るシール手段１５とから成っており、前記ケーシング８は、図１に示すように、鍵盤蓋２にねじ１６、１６により取り付けられる。これを更に詳述すると、前記可動弁１１は、断面略コ字型に形成され、回転方向の両側の垂壁１７、１８の間隔は突部１０の回転方向の巾よりも広く、回転方向に遊びを有していて、突部１０に載り、且つケーシングの内壁面１９に摺接する。前記流体通路１２及び１３は、可動弁１１の両垂壁１７、１８に形成され、流体通路１４は突部１０に切欠され、高トルクを生ずる回転方向の流通通路１２は小さく、低トルクを生ずる逆方向の流体通路１３はそれより大きい断面積に形成されている。
　【００１０】
　尚、図において、２０は、ケーシング８に螺着されて室６の一端を閉じ、中心に軸部９を嵌合する凹部２１を有する閉じ蓋、２２はケーシング８の他端の開口に螺着されて回転部材５の他端を軸承する軸受部材、２３は室６の内壁１９に設けられた軸方向のストッパである。
　【００１１】
　閉じられた鍵盤蓋２が開かれ、上述したオイルダンパ３のケーシング８が図３（Ａ）の状態から矢示の方向に回転すなわち左回転を開始すると、図３（Ｂ）に示すように、可動弁１１は、ストッパ２３の回動により粘性流体７に押されて回動してその垂壁１８は突部１０に接し、粘性流体７は大面積の流体通路１３→通路１４→垂壁１７と突部１０との遊び空間２２を流れるので、抵抗は小さい。図３（Ｃ）に示すように、ストッパ２３が可動弁１１を介して突部１０に衝突して鍵盤蓋２が完全に開かれた状態から、逆に、鍵盤蓋２が閉じる方向に回動し、ケーシング８が図３（Ｃ）の状態から図３（Ｄ）の矢示の方向に回転、すなわち右回転を開始すると、図３（Ｄ）に示すように、可動弁１１の垂壁１７は突部１０に接し、粘性流体７は小面積の液体通路１２を流れるので、非常に大きなトルクが生ずる。
　【００１２】
　以上の実施例では、可動弁１１は、軸部９の軸方向の突部１０に係止されているが、ケーシング８の内壁面１９に設けられた突部に係止され、ケーシング８とともに回転可能にしてもよい。
　【００１３】
　また、前記突部１０と可動弁１１から成る高トルク発生機構を、軸部９又は室６の内壁面１９の１８０°離れた位置にも設け、かつストッパ２３もケーシング８の内壁面１９のの１８０°離れた位置に設けてもよく、このような構成を採用すれば、前記実施例の２倍のトルクにまで高めることができる。
　【００１４】
　【発明の効果】
　本発明は、上述のように構成されているから、楽器本体を、オイルダンパを用いない鍵盤蓋を取り付けた楽器本体と共用できてコストが低廉になり、また鍵盤蓋を占めた状態において、ぴったり閉まる等の効果を有する。
【図面の簡単な説明】
　【図１】
　本発明の一実施例の要部の分解斜視図
　【図２】
　（Ａ），（Ｂ）及び（Ｃ）は、上記実施例に用いるオイルダンパの斜視図、断面図及び分解斜視図
　【図３】
　（Ａ），（Ｂ），（Ｃ）及び（Ｄ）は、鍵盤蓋を開閉した際のオイルダンパの作動説明図
　【符号の説明】
　２　　　　鍵盤蓋
　３　　　　オイルダンパ
　４　　　　軸受け部材
　５　　　　軸支部材
　６　　　　室
　７　　　　粘性流体
　８　　　　ケーシング
　９　　　　軸部
　１０　　　突部
　１１　　　可動弁
　１２，１３，１４　流体通路